(57)【要約】【課題】消費電力を低減しつつ、通信品質の向上が可能なデジタル信号処理装置を得ること。【解決手段】入力したデジタルデータに対して誤り検出し、誤り訂正能力の異なる誤り訂正処理を切り替え可能な複数の誤り訂正処理部と、外部のセンサから自装置の周辺情報を収集する周辺情報分析部１０１と、現在の誤り発生状況と自装置の周辺情報とに基づいて、今後予測される誤り発生頻度を求める誤り発生状況分析部１０２と、現在の誤り発生状況および今後予測される誤り発生頻度と、自装置の周辺情報とに基づいて、各誤り訂正処理部で実行する誤り制御方式を選択し、各誤り訂正処理部に対して選択した誤り制御方式を通知する誤り制御方式選択部１０３と、を備え、各誤り訂正処理部は、通知された誤り制御方式で誤り訂正処理を実行し、実行した結果を現在の誤り発生状況として誤り発生状況分析部１０２へ通知する。【選択図】図１
2013152604.tif 000002
【特許請求の範囲】
【請求項１】
メモリを介したデジタル信号処理において、入力したデジタルデータに対して誤り訂正能力の異なる誤り制御処理を切り替えて誤り訂正符号化処理および誤り訂正復号処理が可能な複数の誤り訂正処理手段と、
外部のセンサから自装置の周辺情報を収集する周辺情報分析手段と、
前記誤り訂正処理手段から通知される現在の誤り発生状況と前記周辺情報分析手段から通知される自装置の周辺情報とに基づいて、今後予測される誤り発生頻度を求める誤り発生状況分析手段と、
前記誤り発生状況分析手段から通知される現在の誤り発生状況および今後予測される誤り発生頻度と、前記周辺情報分析手段から通知される自装置の周辺情報とに基づいて、各誤り訂正処理手段で実行する誤り制御方式を選択し、各誤り訂正処理手段に対して選択した誤り制御方式を通知する誤り制御方式選択手段と、
を備え、
各誤り訂正処理手段は、通知された誤り制御方式で誤り訂正処理を実行し、実行した結果を現在の誤り発生状況として前記誤り発生状況分析手段へ通知する、
ことを特徴とするデジタル信号処理装置。
【請求項２】
前記周辺情報は、時間、位置、温度、湿度、の情報のうち少なくとも１つを含む、
ことを特徴とする請求項１に記載のデジタル信号処理装置。
【請求項３】
前記誤り制御方式選択手段は、各誤り訂正処理手段で実行する誤り制御方式として、誤り訂正処理の停止を選択できる、
ことを特徴とする請求項１または２に記載のデジタル信号処理装置。
【請求項４】
前記誤り訂正処理手段は、使用しているメモリの領域の情報を前記誤り発生状況分析手段へ通知し、
前記誤り発生状況分析手段は、前記誤り訂正処理手段が使用しているメモリの領域の情報を用いて今後予測される誤り発生頻度を求め、さらに、前記誤り訂正処理手段が使用しているメモリの領域の情報を前記誤り制御方式選択手段へ通知し、
前記誤り制御方式選択手段は、前記誤り訂正処理手段が使用しているメモリの領域の情報を用いて各誤り訂正処理手段で実行する誤り制御方式を選択し、さらに、各誤り訂正処理手段に対して使用するメモリの領域を通知する、
ことを特徴とする請求項１、２または３に記載のデジタル信号処理装置。
【請求項５】
さらに、
各誤り訂正処理手段で実行する誤り制御方式の情報を、前記入力したデジタルデータに付加するフレーム化手段と、
各誤り訂正処理手段で誤り訂正処理を実行後のデジタルデータから現在の誤り発生状況の情報を検出し、前記誤り発生状況分析手段へ通知するフレーム検出手段と、
を備え、
前記誤り制御方式選択手段は、選択した各誤り訂正処理手段における誤り制御方式を前記フレーム化手段へ通知し、
前記各誤り訂正処理手段は、自身における現在の誤り発生状況の情報をデジタルデータに付加する、
ことを特徴とする請求項１〜４のいずれか１つに記載のデジタル信号処理装置。
【請求項６】
請求項１〜５のいずれか１つに記載のデジタル信号処理装置を搭載した通信装置。
【請求項７】
メモリを介したデジタル信号処理において、入力したデジタルデータに対して誤り訂正能力の異なる誤り制御処理を切り替えて誤り訂正符号化処理および誤り訂正復号処理が可能な複数の誤り訂正処理手段を備えたデジタル信号処理装置におけるデジタル信号処理方法であって、
外部のセンサから自装置の周辺情報を収集する周辺情報取得ステップと、
前記複数の誤り訂正処理手段における現在の誤り発生状況を取得する誤り発生状況取得ステップと、
前記現在の誤り発生状況と前記自装置の周辺情報とに基づいて、今後予測される誤り発生頻度を求める誤り発生状況分析ステップと、
前記現在の誤り発生状況、前記今後予測される誤り発生頻度、および前記自装置の周辺情報に基づいて、各誤り訂正処理手段で実行する誤り制御方式を選択し、各誤り訂正処理手段に対して選択した誤り制御方式を通知する誤り制御方式選択ステップと、
を含むことを特徴とする誤り制御方法。
【請求項８】
前記周辺情報は、時間、位置、温度、湿度、の情報のうち少なくとも１つを含む、
ことを特徴とする請求項７に記載の誤り制御方法。
【請求項９】
前記誤り制御方式選択ステップでは、各誤り訂正処理手段で実行する誤り制御方式として、誤り訂正処理の停止を選択できる、
ことを特徴とする請求項７または８に記載の誤り制御方法。
【請求項１０】
さらに、
前記誤り発生状況取得ステップでは、各誤り訂正処理手段において使用しているメモリの領域の情報を取得し、
前記誤り発生状況分析ステップでは、前記誤り訂正処理手段が使用しているメモリの領域の情報を用いて今後予測される誤り発生頻度を求め、
前記誤り制御方式選択ステップでは、前記誤り訂正処理手段が使用しているメモリの領域の情報を用いて各誤り訂正処理手段で実行する誤り制御方式を選択し、さらに、各誤り訂正処理手段に対して使用するメモリの領域を通知する、
ことを特徴とする請求項７、８または９に記載の誤り制御方法。
【請求項１１】
さらに、
前記誤り制御方式選択ステップで選択した各誤り訂正処理手段で実行する誤り制御方式の情報を、前記入力したデジタルデータに付加するフレーム化ステップと、
前記各誤り訂正処理手段が、自身における現在の誤り発生状況の情報を前記デジタルデータに付加する誤り発生状況付加ステップと、
を含み、
前記誤り発生状況取得ステップでは、各誤り訂正処理手段で誤り訂正処理を実行後のデジタルデータから現在の誤り発生状況の情報を検出する、
ことを特徴とする請求項７〜１０のいずれか１つに記載の誤り制御方法。
【発明の詳細な説明】
【技術分野】
【０００１】
本発明は、誤り訂正処理を制御するデジタル信号処理装置に関する。
【背景技術】
【０００２】
従来、デジタル信号処理回路等でメモリを介してデジタルデータを処理する場合、メモリ上のデータをリードする際、メモリ上にライトする際、またはメモリ上に保存中に受ける外部からの影響等により誤りが発生する可能性がある。誤りの発生頻度は、周辺環境の変化や搭載された装置の移動により変動し、さらにメモリの物理的な位置でも変動する。
【０００３】
通信システムを構成する装置でこのような誤りが発生すると通信品質が劣化するため、対策が必要となる。発生する誤りに対して、通信装置等では、一般的に誤り訂正符号を用いた対応がなされている。しかしながら、誤り訂正符号は固定の符号方式、符号化率（例えば、ＳＥＣＤＥＤ（Single  Error  Correct  Double  Error  Detect）（２２，１６）等）が用いられるため、常に最大の電力を消費し、最大の処理遅延が発生する。
【０００４】
そのため、下記特許文献１では、誤り制御方式を誤り発生状況やデータの重要度に応じて変更することで電力の効率的な利用と処理遅延を削減する技術が開示されている。
【先行技術文献】
【特許文献】
【０００５】
【特許文献１】特開２００９−８７４９１号公報
【発明の概要】
【発明が解決しようとする課題】
【０００６】
しかしながら、上記従来の技術によれば、変更基準が現在の誤り発生状況であるため、環境の変化については考慮されておらず、対応不可能な誤りが発生してから誤り制御方式を変更することになる。そのため、環境の変化が激しい場合、誤り訂正性能が不十分になり、通信品質が劣化する、という問題があった。
【０００７】
本発明は、上記に鑑みてなされたものであって、消費電力を低減しつつ、通信品質の向上が可能なデジタル信号処理装置を得ることを目的とする。
【課題を解決するための手段】
【０００８】
上述した課題を解決し、目的を達成するために、本発明は、メモリを介したデジタル信号処理において、入力したデジタルデータに対して誤り訂正能力の異なる誤り制御処理を切り替えて誤り訂正符号化処理および誤り訂正復号処理が可能な複数の誤り訂正処理手段と、外部のセンサから自装置の周辺情報を収集する周辺情報分析手段と、前記誤り訂正処理手段から通知される現在の誤り発生状況と前記周辺情報分析手段から通知される自装置の周辺情報とに基づいて、今後予測される誤り発生頻度を求める誤り発生状況分析手段と、前記誤り発生状況分析手段から通知される現在の誤り発生状況および今後予測される誤り発生頻度と、前記周辺情報分析手段から通知される自装置の周辺情報とに基づいて、各誤り訂正処理手段で実行する誤り制御方式を選択し、各誤り訂正処理手段に対して選択した誤り制御方式を通知する誤り制御方式選択手段と、を備え、各誤り訂正処理手段は、通知された誤り制御方式で誤り訂正処理を実行し、実行した結果を現在の誤り発生状況として前記誤り発生状況分析手段へ通知する、ことを特徴とする。
【発明の効果】
【０００９】
本発明によれば、消費電力を低減しつつ、通信品質を向上できる、という効果を奏する。
【図面の簡単な説明】
【００１０】
【図１】図１は、実施の形態１のデジタル信号処理装置の構成例を示す図である。
【図２】図２は、各構成において入出力または保持する情報を示す図である。
【図３】図３は、誤り制御方法選択のフローチャートである。
【図４】図４は、実施の形態２のデジタル信号処理装置の構成例を示す図である。
【図５】図５は、実施の形態３のデジタル信号処理装置の構成例を示す図である。
【図６】図６は、各構成において入出力または保持する情報を示す図である。
【図７】図７は、実施の形態４のデジタル信号処理装置の構成例を示す図である。
【発明を実施するための形態】
【００１１】
以下に、本発明にかかるデジタル信号処理装置の実施の形態を図面に基づいて詳細に説明する。なお、この実施の形態によりこの発明が限定されるものではない。
【００１２】
実施の形態１．
図１は、本実施の形態のデジタル信号処理装置の構成例を示す図である。デジタル信号処理装置１は、外部インターフェース１０と、機能部２０と、機能部３０と、メモリ４０と、機能部５０と、機能部６０と、メモリ７０と、機能部８０と、外部インターフェース９０と、誤り制御処理管理部１００と、を備える。
【００１３】
外部インターフェース１０は、外部からデジタルデータを入力するインターフェースである。
【００１４】
機能部２０、３０、５０、６０、８０は、デジタル信号処理装置１で果たす誤り訂正処理の機能をブロック化したものであり、直列または並列に配置されている様子を示している。なお、各機能部が行う誤り訂正処理は、誤り制御処理管理部１００によって制御、すなわち適宜変更されるが、誤り訂正処理の方法そのものは従来と同等である。また、図１に示す配置は一例であり、この配置例に限定するものではない。
【００１５】
機能部２０は、データ処理部２１を備え、データ処理部２１は、ＥＣＣ  Ｅｎｃｏｄｅｒ部（誤り訂正符号化部）２２と、メモリ２３と、ＥＣＣ  Ｄｅｃｏｄｅｒ部（誤り訂正復号部）２４と、を備える。また、機能部３０は、データ処理部３１と、誤り訂正符号化部３２と、を備える。また、機能部５０は、誤り訂正復号部５１と、データ処理部５２と、を備える。また、機能部６０は、データ処理部６１を備え、データ処理部６１は、誤り訂正符号化部６２と、誤り訂正復号部６３と、を備える。また、機能部８０は、データ処理部８１を備え、データ処理部８１は、誤り訂正符号化部８２と、誤り訂正復号部８３と、を備える。
【００１６】
データ処理部２１、３１、５２、６１、８１は、各機能部が果たすべき処理（データ処理）を実施する。
【００１７】
メモリ２３、４０、７０は、記憶装置である。メモリ２３は、データ処理部２１の動作時に利用されており、メモリ４０は、機能部３０、５０間のデータ受け渡しのために利用されており、メモリ７０は、データ処理部６１、８１の動作に共有して利用されている。
【００１８】
誤り訂正符号化部２２、３２、６２、８２、および誤り訂正復号部２４、５１、６３、８３（以降では、個別に指定する場合を除き、誤り訂正符号化部と誤り訂正復号部とを合わせて誤り訂正処理部とする）は、メモリを介する処理時に発生する誤りに対応するために誤り訂正処理を実現する。誤り訂正符号化部２２、３２、６２、８２は、メモリの前段に、誤り訂正復号部２４、５１、６３、８３はメモリの後段に配置されている。
【００１９】
外部インターフェース９０は、外部へデジタルデータを出力するインターフェースである。
【００２０】
誤り制御処理管理部１００は、各誤り訂正処理部から取得した情報、および外部から収集したセンサ情報を用いて、各誤り訂正処理部における誤り制御方式を制御する。誤り制御処理管理部１００は、周辺情報分析部１０１と、誤り発生状況分析部１０２と、誤り制御方式選択部１０３と、を備える。
【００２１】
周辺情報分析部１０１は、センサ等を用いて周辺情報（例えば、温度、湿度、位置といった情報）を収集し、誤り発生状況分析部１０２および誤り制御方式選択部１０３へ通知する。
【００２２】
誤り発生状況分析部１０２は、現在の誤り発生状況の情報を各誤り訂正処理部から取得し、この誤り発生状況の情報と周辺情報分析部１０１から通知される周辺情報との相関関係の分析、および情報の蓄積を行なう。誤り発生状況分析部１０２は、相関関係の分析の結果として、将来の（今後予想される）誤り発生頻度を求める。また、誤り発生状況分析部１０２は、誤り制御方式選択部１０２へ現在の誤り発生状況と今後予想される誤り発生頻度を通知する。
【００２３】
誤り制御方式選択部１０３は、周辺情報分析部１０１および誤り発生状況分析部１０２から通知される情報に基づいて、各誤り訂正処理部に対してそれぞれで利用する誤り制御方式を選択し、通知する。
【００２４】
このように、デジタル信号処理装置１では、まず、外部インターフェース１０からデジタルデータを入力すると、機能部２０、３０、５０、６０、８０において、メモリを介したデータ処理や受け渡しを行ない、外部インターフェース９０から処理されたデジタルデータを出力する、というデジタルデータの流れとなる。この間、デジタル信号処理装置１では、各機能部においてデジタルデータに対して誤り訂正処理を実行する。
【００２５】
つづいて、誤り訂正処理部において誤り制御方式が変更されるまでの、誤り制御処理管理部１００と誤り訂正処理部との間で行われる情報の流れおよび各構成の動作について説明する。図２は、各構成において入出力または保持する情報を示す図である。また、図３は、デジタル信号処理装置１における誤り制御方法選択のフローチャートである。
【００２６】
まず、周辺情報分析部１０１は、センサ等を用いて自装置周辺の環境情報（周辺情報）を収集し（ステップＳ１）、時間情報等を含めた情報（時間、位置、温度、湿度等）を誤り発生状況分析部１０２および誤り制御方式選択部１０３へ通知する。
【００２７】
誤り発生状況分析部１０２は、現在の誤り発生状況の情報を各誤り訂正処理部から取得する（ステップＳ２）。また、誤り発生状況分析部１０２は、周辺情報分析部１０１から得られた周辺情報や時間と誤り発生の相関について各誤り訂正処理部についての情報を保持する。そして、誤り発生状況分析部１０２は、周辺情報分析部１０１から通知される誤り発生に相関のある周辺情報や時間から、今後予想される誤り発生頻度を求める（ステップＳ３）。そして、誤り発生状況分析部１０２は、現在の誤り発生状況および今後予想される誤り発生頻度の情報を誤り制御方式選択部１０３へ通知する。
【００２８】
誤り制御方式選択部１０３は、周辺情報分析部１０１から通知されるリアルタイムの周辺情報と、誤り発生状況分析部１０２から通知される現在の誤り発生状況および今後予想される誤り発生頻度の情報と、を用いて各誤り訂正処理部に必要な誤り制御方式を選択する（ステップＳ４）。そして、誤り制御方式選択部１０３は、求めた誤り制御方式を各誤り訂正処理部へ通知する。
【００２９】
各誤り訂正処理部は、誤り制御方式選択部１０３から通知された誤り制御方式を使用して誤り訂正処理を実行する。また、各誤り訂正処理部は、通知された誤り制御方式で誤り訂正処理を実行したときの誤り発生状況を、現在の誤り発生状況として誤り発生状況分析部１０２へ通知する。
【００３０】
このように、デジタル信号処理装置１では、誤り制御方式選択部１０３が、今後予想される誤り発生頻度の情報を用いて各誤り訂正処理部で実行する誤り制御方式を選択する。そのため、誤り制御方式選択部１０３は、誤り発生頻度が低くなると予測した場合には各誤り訂正処理部の誤り訂正処理を低誤り率に対応した符号方式や符号化率に、誤り発生頻度が高くなると予測した場合には多くの誤りを訂正可能な符号方式や符号化率に変更するように、各誤り訂正処理部における誤り制御方式を制御する。これにより、誤り発生頻度が低くなると予測した場合には各誤り訂正処理部の誤り訂正処理に必要なデータ処理量を削減することで消費電力を低減でき、誤り発生頻度が高くなると予測した場合には多くの誤りを訂正可能な処理を実行して通信品質の劣化を抑えることができる。
【００３１】
なお、デジタル信号処理装置１が移動可能な通信装置に搭載されている場合、周期性のある移動など事前に周辺情報をインプット可能であれば、デジタル信号処理装置１では、その情報を事前に保持するようにしてもよい。
【００３２】
また、デジタル信号処理装置１では、誤り制御処理管理部１００の消費電力を削減するため、周期的に動作させる、または必要最低限の機能部のみ動作させ、センサ情報の変化や誤り発生状況の変化等をトリガとして誤り制御処理管理部１００を起動させてもよい。
【００３３】
以上説明したように、本実施の形態では、デジタル信号処理装置は、各誤り訂正処理部から現在の誤り発生状況の情報と外部から自装置の周辺情報とを取得して今後予想される誤り発生頻度を求め、周辺情報、現在の誤り発生状況の情報、および求めた今後予想される誤り発生頻度を用いて、各誤り訂正処理部で実行する誤り制御方式を選択することとした。これにより、誤りの発生頻度が想定より低い場合には無駄な誤り訂正処理を削減でき、運用中の消費電力を削減して装置寿命やバッテリの動作時間の向上を図りつつ、処理遅延の低減および環境の悪化により発生する初期の誤りを抑えることにより、通信品質の向上が可能となる。
【００３４】
実施の形態２．
実施の形態１では、各誤り訂正処理部に今後の誤り発生頻度の予想に基づく誤り制御方式を通知した。本実施の形態では、誤り発生頻度の低い場合は不要な誤り訂正処理を削減する。実施の形態１と異なる部分について説明する。
【００３５】
図４は、本実施の形態のデジタル信号処理装置の構成例を示す図である。各構成の配置は実施の形態１と同一である。例えば、メモリ２３とメモリ４０で発生する誤りの発生率が非常に低い場合、誤り制御方式選択部１０３は、機能部２０の誤り訂正符号化部２２と機能部５０の誤り訂正復号部５１に対して同じ符号方式、符号化率を設定し、機能部２０の誤り訂正復号部２４と機能部３０の誤り訂正符号化部３２の機能を停止することで誤り訂正処理を省略する。また、必要に応じて機能部３０で処理するデータ量の変更を通知する。
【００３６】
なお、誤り訂正符号化によりデータ処理部３１で処理するデータ量が増加する。そのため、データ処理部３１の処理で増加する消費電力と誤り訂正符号化と復号処理を削減することによる消費電力の削減効果とを比較して、削減効果が得られる場合のみ実施する。消費電力の比較には、センサ等による測定結果を用いてもよいし、事前にデータ処理部３１の処理ビット数に対する消費電力を見積もってテーブル化したものを用いてもよい。
【００３７】
以上説明したように、本実施の形態では、誤り発生頻度が低い場合、一部の誤り訂正処理部において誤り訂正処理を停止することとした。これにより、不要な誤り訂正処理を回避できることから、さらに、消費電力を削減することができる。
【００３８】
実施の形態３．
本実施の形態では、メモリの物理的な位置によって誤りの発生頻度が変わることを利用する。実施の形態１と異なる部分について説明する。
【００３９】
図５は、本実施の形態のデジタル信号処理装置の構成例を示す図である。ここでは、デジタル信号処理装置１ａにおいて、メモリ２３を３分割し、メモリ４０をメモリ４０−１、４０−２、４０−３とし、メモリ７０を５分割している状態を示す。その他の構成は実施の形態１と同一である。誤り制御方式選択部１０３は、誤り訂正処理で使用するメモリの位置を指示することにより、各誤り訂正処理部が使用するメモリの位置が決定される。
【００４０】
図６は、各構成において入出力または保持する情報を示す図である。実施の形態１との違いは、各誤り訂正処理部が誤り発生状況分析部１０２へ通知する情報に利用しているメモリの位置の情報が含まれている。そのため、誤り発生状況分析部１０２では、さらに各誤り訂正処理部が利用しているメモリの位置の情報を保持し、メモリの位置の情報を含めて、今後予想される誤り発生頻度を求める。そして、誤り制御方式選択部１０３へ通知する情報に、各誤り訂正処理部が利用しているメモリの位置の情報を追加する。
【００４１】
誤り制御方式選択部１０３は、周辺情報分析部１０１から通知されるリアルタイムの周辺情報と、誤り発生状況分析部１０２から通知される現在の誤り発生状況、今後予想される誤り発生頻度の情報、および利用するメモの位置の情報と、を用いて各誤り訂正処理部に必要な誤り制御方式を選択し、その際に利用するメモリの位置を決定する。そして、求めた誤り制御方式と利用するメモリの位置の情報を各誤り訂正処理部へ通知する。
【００４２】
このように、誤り制御方式選択部１０３は、利用可能なメモリで相対的に誤りの少ないメモリを選択して誤り訂正処理部に利用させる。誤り制御方式選択部１０３は、物理的に離れたメモリを選択してもよいし、同じメモリの異なるアドレス領域を選択してもよい。
【００４３】
以上説明したように、本実施の形態では、各誤り訂正処理部で使用するメモリ内の物理的な位置の情報を取得し、メモリの情報を含めて各誤り訂正処理部に必要な誤り制御方式を選択することとした。これにより、相対的に誤りの少ないメモリを選択でき、誤りを減らすことにより、さらに、通信品質を向上させることができる。また、誤りが少なくなることから符号化率の高い誤り訂正符号を用いることができ、消費電力を低減することができる。
【００４４】
実施の形態４．
実施の形態１、２、３では、誤り制御処理管理部１００と各誤り訂正処理部が相互に情報を通知するため、情報通知のために配線が必要となっていた。本実施の形態では、これらの配線が不要な構成について説明する。
【００４５】
図７は、本実施の形態のデジタル信号処理装置の構成例を示す図である。デジタル信号処理装置１ｂは、実施の形態１（図１参照）の構成に加え、さらに、フレーム化部１１０と、フレーム検出部１２０と、を備える。
【００４６】
デジタル信号処理装置１ｂでは、フレーム化部１１０が、誤り制御処理管理部１００の指示に基づいて、入力されたデジタルデータに対して、各誤り訂正処理部が利用すべき誤り訂正方式、符号化率を指示する誤り制御処理指示のデータを付与する。例えば、図７において、１つ目の誤り制御処理指示は、誤り訂正符号化部２２、誤り訂正復号部２４用とし、２つ目の誤り制御処理指示は、誤り訂正符号化部３２、誤り訂正復号部５１用とし、３つ目の誤り制御処理指示は、誤り訂正符号化部６２、誤り訂正復号部６３用とし、４つ目の誤り制御処理指示は、誤り訂正符号化部８２、誤り訂正復号部８３用とする。
【００４７】
各誤り訂正処理部は、付与されたデータ（誤り制御処理指示）を確認して誤り制御処理を選択する。また、各誤り訂正処理部は、誤りの検出情報をこの領域（誤り確認用領域）に乗せ換えて次の機能部へ転送する。
【００４８】
フレーム検出部１２０は、各誤り訂正処理部において乗せ換えられた誤りの検出情報を誤り制御処理管理部１００へ転送し、この領域を削除する。
【００４９】
なお、各誤り訂正処理部で検出不能であった誤りを検出するために誤り検出符号を付与してもよい。この場合、図７に示すように、入力されたデジタルデータに加えて誤り検出符合までが誤り検出対象となる。また、簡単化のためフレーム化部１１０を記載したが、どこの機能部で誤りが発生したか把握できる領域を付与する機能があればよい。そのため、フレームという単位もフレーム化という処理も必要ない構成を用いてもよい。
【００５０】
以上説明したように、本実施の形態では、誤り制御処理管理部１００は、各誤り訂正処理部との間の情報の送受信をフレーム経由でおこなうこととした。これにより、誤り制御処理管理部１００と各誤り訂正処理部との間の配線が不要となり、装置内の構成を簡素化することができる。
【産業上の利用可能性】
【００５１】
以上のように、本発明にかかるデジタル信号処理装置は、デジタル信号処理回路に有用であり、特に、メモリを搭載したデジタル信号処理回路に適している。
【符号の説明】
【００５２】
１、１ａ、１ｂ  デジタル信号処理装置
１０、９０  外部インターフェース
２０、３０、５０、６０、８０  機能部
２１、３１、５２、６１、８１  データ処理部
２２、３２、６２、８２  ＥＣＣ  Ｅｎｃｏｄｅｒ部（誤り訂正符号化部）
２３、４０、４０−１、４０−２、４０−３、７０  メモリ
２４、５１、６３、８３  ＥＣＣ  Ｄｅｃｏｄｅｒ部（誤り訂正復号部）
１００  誤り制御処理管理部
１０１  周辺情報分析部
１０２  誤り発生状況分析部
１０３  誤り制御方式選択部
１１０  フレーム化部
１２０  フレーム検出部
【図１】
2013152604.tif 000003
【図２】
2013152604.tif 000004
【図３】
2013152604.tif 000005
【図４】
2013152604.tif 000006
【図５】
2013152604.tif 000007
【図６】
2013152604.tif 000008
【図７】
2013152604.tif 000009